(57)【要約】【課題】引出し式可動物体を搭載すべきスライドレールから正面板を独立させて変位するようにして可動物体の観察や着脱を容易にすることができること。【解決手段】筐体ＧＣの固定レールＳＲに摺動自在に係合するスライドレール２０と、このスライドレール２０を固定レールＳＲから引出すべき摘み３２付き正面板３０と、スライドレール２０の後端付近に枢支された揺動アーム４０とから成り、摘み３２付き正面板３０は、揺動アーム４０に一体に保持され、スライドレール２０と揺動アーム４０との間には揺動アーム４０の下向きへの揺動を規制するストッパー５４を有するリンクアーム５２が設けられている。【選択図】図４
2008188261.tif 000002
【特許請求の範囲】
【請求項１】
筐体の壁面に取付けられるべき固定レールに摺動自在に係合するスライドレールと前記スライドレールを前記固定レールから引出すべき正面板との組み合わせから成り、前記正面板は、前記スライドレールが前記固定レールから引出されると、下方に変位するように保持されているスライダーにおいて、前記スライドレールに対して揺動する揺動アームを更に備え、前記正面板は、前記揺動アームに保持されていることを特徴とするスライダー。
【請求項２】
請求項１に記載のスライダーであって、前記揺動アームの下向きへの揺動を規制する揺動規制手段が設けられていることを特徴とするスライダー。
【請求項３】
請求項２に記載のスライダーであって、前記揺動規制手段は、前記スライドレールと前記揺動アームとの間に設けられていることを特徴とするスライダー。
【請求項４】
請求項３に記載のスライダーであって、前記揺動規制手段は、前記スライドレールと前記揺動アームとの間に設けられた折畳み自在なリンクアームと、前記リンクアームの展開位置を設定するストッパーとから成っていることを特徴とするスライダー。
【請求項５】
請求項４に記載のスライダーであって、前記ストッパーは、前記リンクアームの中央枢支部付近に設けられていることを特徴とするスライダー。
【請求項６】
請求項５に記載のスライダーであって、前記ストッパーは、前記リンクアームを構成する２つのアームにそれぞれ相対して設けられて前記揺動アームの所定の揺動位置で前記リンクアームの展開位置で相互に衝合する第１と第２のストッパー壁から成っていることを特徴とするスライダー。
【請求項７】
請求項３に記載のスライダーであって、前記揺動規制手段は、前記スライドレールと前記揺動アームとの間に設けられたストッパーアームから成り、前記ストッパーアームの一端は、前記スライドレールと前記揺動アームのいずれか一方に枢支され、前記ストッパーアームの他端は、前記スライドレールと前記揺動アームの他方に設けられた長孔に摺動自在に枢支されていることを特徴とするスライダー。
【請求項８】
請求項１乃至７のいずれかに記載のスライダーであって、前記揺動アームは、前記スライダーの引出し位置でその下降変位を助長する逃げ凹部を有することを特徴とするスライダー。
【請求項９】
筐体の壁面に設けられた固定レールと、前記固定レールに摺動自在に係合しトレーが搭載されるスライドレールと前記スライドレールを前記固定レールから引出すべき正面板との組み合わせとを含むスライダーとから成り、前記正面板は、前記スライドレールが前記固定レールから引出されると、下方に変位するように保持されている引き出し装置において、前記スライドレールに対して揺動する揺動アームを更に備え、前記正面板は、前記揺動アームに保持されていることを特徴とする引き出し装置。
【請求項１０】
請求項９に記載の引き出し装置であって、前記揺動アームの下向きへの揺動を規制する揺動規制手段が設けられていることを特徴とする引き出し装置。
【請求項１１】
請求項１０に記載の引き出し装置であって、前記揺動規制手段は、前記スライドレールと前記揺動アームとの間に設けられていることを特徴とする引き出し装置。
【請求項１２】
請求項１０に記載の引き出し装置であって、前記揺動規制手段は、前記筐体と前記揺動アームとの間に設けられていることを特徴とする引き出し装置。
【発明の詳細な説明】
【技術分野】
【０００１】
本発明は、グリルの網と水受けトレーや引出し家具の引出し本体の如き筐体に対して出し入れすべき引出し式可動物体を保持するスライダーに関し、特に、可動物体の正面に位置して可動物体を出し入れする際に摘んで筐体の正面開口を閉じる正面板を可動物体の開放位置で可動物体を正面板に拘束されることなくスライドレールから着脱することができるようにしたスライダー及びこのスライダーを用いた引き出し装置に関するものである。
【背景技術】
【０００２】
この種のスライダーは、例えば、ガスコンロ、電気コンロ等と組み合わせて用いられる魚焼き用グリルのように、引き出し式可動物体（グリルの場合には網付きトレー）をケース内に出し入れする引き出し装置に好適に用いられているが、使用後に可動物体を清掃、洗浄するために、スライドレールから取り外すことができるように、スライドレール上に搭載されている。
【０００３】
このような目的で使用されるスライダーは、筐体の壁面に取付けられるべき固定レールに摺動自在に係合するスライドレールとこのスライドレールを固定レールから引出すべき正面板（一般的には摘みを有する）との組み合わせから成り、この正面板は、スライドレールが固定レールから引出されると、下方に変位するように保持されている。グリルの網付き水受けトレー等の可動物体は、このスライドレールの上に着脱自在に保持されるように搭載されている。この正面板は、グリルの網や水受けトレー（可動物体）の引出し位置で、魚の焼き具合を観察したり、魚を裏返ししたりするのに便宜であるように、また可動物体を清掃や洗浄の目的で取り外すのに便宜なように、引出し位置で下方に変位するようにしている。
【０００４】
従来技術のスライダーは、その引出し位置で正面板を下方に変位するために、可動物体（水受けトレー）に枢支されるようにスライドレールを可動物体に着脱自在に保持している（特許文献１参照）。
【０００５】
しかし、可動物体が揺動式のスライドレールに保持されていると、可動物体（水受けトレー、引出しトレー等）を清掃、洗の目的でスライドレールから取り外す際に、スライドレールの枢支部分での結合を解除しながら可動物体をスライドレールから取り外さなければならないため、可動物体の取り外し及び再取り付けが面倒であった。
【０００６】
また、正面板を有するスライドレールの前端が下降すると、可動物体は、スライドレール枢支部分である後方部分でのみ水平に支持されることになるので、可動物体の保持が不安定になり、例えば、可動物体がグリルの水受けトレーである場合に、トレーの前端が傾いて熱汁や水がこぼれる虞があった。可動物体がグリル以外の物体、例えば引出しトレーである場合も、引出し本体内の収納物が脱落する虞がある。
【０００７】
【特許文献１】特公平８−８８９７号公報
【発明の開示】
【発明が解決しようとする課題】
【０００８】
本発明が解決しようとする１つの課題は、可動物体を搭載すべきスライドレールから正面板を独立させて変位するようにして可動物体の着脱を容易にすることができるスライダーを提供することにある。
【０００９】
本発明が解決しようとする他の課題は、引出し式のトレーを搭載すべきスライドレールから正面板を独立させて変位するようにしてトレーの着脱を容易にすることができる引き出し装置を提供することにある。
【課題を解決するための手段】
【００１０】
本発明の第１の課題解決手段は、筐体の壁面に取付けられるべき固定レールに摺動自在に係合するスライドレールとこのスライドレールを固定レールから引出すべき正面板との組み合わせから成り、正面板は、スライドレールが固定レールから引出されると、下方に変位するように保持されているスライダーにおいて、スライドレールに対して揺動する揺動アームを更に備え、正面板は、この揺動アームに保持されていることを特徴とするスライダーを提供することにある。
【００１１】
本発明の第１の課題解決手段において、スライダーは、揺動アームの下向きへの揺動を規制する揺動規制手段が設けられているのが好ましく、この揺動規制手段は、スライドレールと揺動アームとの間に設けられ、例えば、スライドレールと揺動アームとの間に設けられた折畳み自在なリンクアームと、このリンクアームの展開位置を設定するストッパーとから成っている形態とすることができる。
【００１２】
この場合、ストッパーは、リンクアームの中央枢支部付近に設けることができ、例えば、リンクアームを構成する２つのアームにそれぞれ相対して設けられて揺動アームの所定の揺動位置でリンクアームの展開位置で相互に衝合する第１と第２のストッパー壁とすることができる。
【００１３】
また、揺動規制手段は、スライドレールと揺動アームとの間に設けられたストッパーアームから成り、このストッパーアームの一端は、スライドレールと揺動アームのいずれか一方に枢支され、ストッパーアームの他端は、スライドレールと揺動アームの他方に設けられた長孔に摺動自在に枢支されている形態とすることができる。
【００１４】
本発明の第１の課題解決手段において、揺動アームは、スライダーの引出し位置でその下降変位を助長する逃げ凹部を有する形態とすることができる。
【００１５】
本発明の第２の課題解決手段は、筐体の壁面に設けられた固定レールと、この固定レールに摺動自在に係合しトレーが搭載されるスライドレールとこのスライドレールを固定レールから引出すべき正面板との組み合わせとを含むスライダーとから成り、正面板は、スライドレールが固定レールから引出されると、下方に変位するように保持されている引き出し装置において、スライドレールに対して揺動する揺動アームを更に備え、正面板は、揺動アームに保持されていることを特徴とする引き出し装置を提供することにある。
【００１６】
本発明の第２の課題解決手段において、揺動アームの下向きへの揺動を規制する揺動規制手段が設けられているのが好ましく、この揺動規制手段は、スライドレールと揺動アームとの間に設けることもできるし、筐体と揺動アームとの間に設けることもできる。
【発明の効果】
【００１７】
本発明によれば、上記のように、正面板は、スライドレールではなく、このスライドレールに枢支された揺動アームに保持されているため、正面板は、スライドレールに搭載されるべき可動物体とは独立しているので、可動物体を洗浄や清掃等の目的でスライドレールから取り外したり、清掃や洗浄後に可動物体をスライドレールに取り付けたりする操作を容易に行うことができる。
【００１８】
また、可動物体を搭載するスライドレールは、傾くことなく、水平のまま出し入れするので、スライドレール上に搭載されるべき可動物体は、安定状態で水平に維持され、従って可動物体が傾くことがなく、可動物体内の収容物がこぼれることがなく、グリル等の網付き水受けトレーを搭載するような調理器等の如き引き出し装置に好適に使用することができる。
【発明を実施するための最良の形態】
【００１９】
本発明のスライダー１０を引き出し式のグリル（調理器）Ｇの網付き水受けトレーＴに適用した例が図１乃至図５に示されている。グリルＧは、図示しないガスバーナー又は電気バーナを内蔵した筐体ＧＣと、網Ｎ付き水受けトレーＴとから成り、この網Ｎ付き水受けトレーＴは、本発明による１対のスライダー１０、１０の間に跨って取り付けられた受け台ＲＢに搭載されている。
【００２０】
図示の例では、受け台ＲＢは、その側面から垂下する多数の取付け片ＲＢＰを１対のスライダー１０の後に述べるスライドレール２０にねじ止めしてスライダー１０に固定され、受け台ＲＢは、図２乃至図４に示すように、水受けトレーＴを受け入れる受け入れ凹部ＲＢＲを上面に有する。網Ｎは、その脚部ＮＬを水受けトレーＴに係入してトレーＴに保持される。
【００２１】
１対のスライダー１０、１０は、グリルＧの筐体ＧＣの両外壁面に設けられた固定レールＳＲ、ＳＲに摺動自在に係合して保持されている。図示の形態では、固定レールＳＲは、筐体ＧＣの両外壁面に開口する溝から成っているが、これらは、筐体ＧＣとは別体で筐体ＧＣに接着その他の任意の手段で固定されたレール部材から成っていてもよい。
【００２２】
スライダー１０は、固定レールＳＲに摺動自在に係合するスライドレール２０と、このスライドレール２０を固定レールＳＲから引出すべき摘み３２付き正面板３０との組み合わせから成り、この摘み３２付き正面板３０は、後に述べるように、スライドレール２０が固定レールＳＲから引出されると、下方に変位するように保持されている。なお、図示していないが、スライドレール２０は、固定レールＳＲの前端から抜け出るのを防止する適宜のストッパーが設けられている。
【００２３】
本発明のスライダー１０は、スライドレール２０とは別体でこのスライドレール２０の後端付近にピン４２で枢支されてスライドレール２０に対して揺動する揺動アーム４０を備えており、摘み３２付き正面板３０は、この揺動アーム４０の前端に適宜の手段で固定して一体に保持されている。
【００２４】
スライダー１０は、スライドレール２０と揺動アーム４０との間に設けられて揺動アーム４０の下向きへの揺動を規制する揺動規制手段５０を更に備えている。
【００２５】
図１乃至図１１の形態では、揺動規制手段５０は、スライドレール２０と揺動アーム４０との間に枢支された折畳み自在な２つのアーム５２Ａ、５２Ｂを有するリンクアーム５２と、このリンクアーム５２の展開位置を設定するようにリンクアーム５２の中央枢支部５３付近に設けられたストッパー５４とから成っている。
【００２６】
ストッパー５４は、２つアーム５２Ａ、５２Ｂにそれぞれ相対して設けられて揺動アーム４０の所定の揺動位置に相応するリンクアーム５２の展開位置で相互に衝合する第１と第２のストッパー壁５４Ａ、５４Ｂから成っている。
【００２７】
図示の形態では、特に、図１０及び図１１から解かるように、第１のストッパー壁５４Ａは、アーム５４Ａの枢支部５３付近に取り付けられた突片５４ＡＰから成り、第２のストッパー壁５４Ｂは、アーム５４Ｂの枢支部５３付近で突片５４ＡＰに相対するように形成された肩部５４ＢＳから成っている。
【００２８】
第１のストッパー壁５４Ａ（突片５４ＡＰ）と第２のストッパー壁５４Ｂ（肩部５４ＢＳ）との相対する面は、アーム５４Ａ、５４Ｂが重合して折畳まれた状態（図２、図６、図７の状態であるが、図２及び図７ではスライドレール２０と揺動アーム４０との間に挟まれて隠れている）では、最も離れているが、この折畳み位置から図３、図８、図１０に示すように中間展開位置を経て展開するにつれて次第に接近し、図４、図９、図１１の最終展開位置で衝合するように、第１と第２のストッパー壁５４Ａ、５４Ｂの相互の位置関係を設定する。
【００２９】
図２乃至図４、図７乃至図１１に示すように、揺動アーム４０は、スライダー１０の引出し位置でその下降変位を助長する逃げ凹部４０Ｒを下面に有する。この逃げ凹部４０Ｒは、図３に示すように、グリルＧの固定レールＳＲの下方で筐体ＧＣの入口付近に設けられた受けローラＲＲによって揺動アーム４０の傾斜角度（下降変位）が抑制されるのを防止して下降変位を大きくするのに役立っている。なお、この受けローラＲＲは、揺動アーム４０と筐体ＧＣとの間にあって引出し中間位置で揺動アーム４０の揺動を規制する揺動規制手段を構成している。
【００３０】
本発明のスライダー１０は、図３に示すように、グリルＧに引き込まれた位置では、リンクアーム５２が折畳まれて揺動アーム４０が水平位置にあり、摘み３２付き正面板３０は、筐体ＧＣの開口を覆っている。
【００３１】
この状態から摘み３２を掴んでスライダー１０をその半分以上が筐体ＧＣから露出する位置（中間引き出し位置）まで引出して摘み３２から手を離すと、揺動アーム４０は、その逃げ凹部４０Ｒの上壁が受けローラＲＲに係合するまで下降変位することができる。この状態では、摘み３２付き正面板３０が下降するので、例えば、グリルＧで調理されている食材の調理状況を観察したり、食材の位置又は裏表を変えたりするのを容易に行うことができる。なお、この状態では、揺動規制手段５０であるリンクアーム５２の第１と第２のストッパー壁５４Ａ、５４Ｂが衝合していないで離れている（図１０参照）。
【００３２】
また、摘み３２を掴んで、図２の状態からスライダー１０をその最終引出し位置まで引出し（図７参照）、その後、摘み３２から手を離すと、揺動アーム４０は、図８及び図１０の状態を経て図９及び図１１の位置まで下向きに揺動し、図９の位置では、揺動規制手段５０であるリンクアーム５２のアーム５４Ａ、５４Ｂの第１と第２のストッパー壁５４Ａ、５４Ｂが図１１に示すように衝合して揺動アーム４０がそれ以上下降するのを阻止する。この大きな下降変位（揺動）は、揺動アーム４０が受けローラＲＲから外れるために、受けローラＲＲに干渉することなく行うことができる。
【００３３】
この状態では、スライダー１０の大部分が筐体ＧＣから引出されてスライダー１０上の網Ｎ付き水受けトレーＴの全体が筐体ＧＣから露出する。そして、網Ｎ付き水受けトレーＴは、揺動アーム４０とは独立して、スライドレール２０の上に単に載っているだけであるので、スライダー１０から容易に取り外して清掃したり洗浄したりすることができ、清掃又は洗浄後、網Ｎ付き水受けトレーＴをスライドレール２０の受け台ＲＢに載せるだけで再び使用することができる。
【００３４】
また、図３及び図４のいずれの状態でも、網Ｎ付き水受けトレーＴは、水平状態にあるスライドレール２０上に搭載されているので、トレーＴは、スライドレール２０上に安定して保持されるため、熱汁や網上の食材がこぼれたり落下したりすることがない。
【００３５】
本発明の異なる実施の形態が図１２乃至図１４に示されている。この実施の形態は、揺動規制手段５０が異なることを除いて図１乃至図１１の実施の形態と同じである。この実施の形態では、揺動規制手段５０は、スライドレール２０と揺動アーム４０との間に設けられたストッパーアーム５６から成り、このストッパーアーム５６の一端は、スライドレール２０にピン５６Ｐで枢支され、ストッパーアーム５６の他端は、枢支ローラ５６Ｒを有し、この枢支ローラ５６Ｒは、揺動アーム４０に設けられた長孔４０Ｈに摺動自在に支持されている。
【００３６】
この実施の形態でも、スライダー１０は、第１の実施の形態の図３の状態及び図４の状態と同様の状態とすることができる。図３と同様の中間引出し位置では、揺動アーム４０の逃げ凹部４０Ｒが受けローラＲＲに係合してストッパーアーム５６の枢支ローラ５６Ｒは、図１４よりも手前の揺動アーム４０の長孔４０Ｈの図１４よりも手前の位置（長孔４０Ｈの最も左の縁よりも手前の位置）にある。図４と同様の最終引出し位置では、ストッパーアーム５６の枢支ローラ５６Ｒは、図１４に示すように、揺動アーム４０の長孔４０Ｈの最も左側の壁面に係合し、揺動アーム４０がそれ以上に下降することがないように規制する。
【００３７】
なお、図１２乃至図１４の実施の形態において、ストッパーアーム５６の一端は、スライドレール２０ではなく、揺動アーム４０に枢支し、ストッパーアーム２０の他端は、スライドレール２０に設けられた長孔に摺動自在に枢支してもよい。
【００３８】
上記の２つの実施の形態では、揺動規制手段５０は、スライドレール２０と揺動アーム４０との間に折畳み自在又は摺動自在に配置されたアームから成っているが、例えば、揺動アーム４０を枢支するピン４２付近にその揺動角度を規制するように設けられたストッパーから成っていてもよい。また、図１乃至図１１の実施の形態で、折り畳み式のリンクアーム５２は、第１と第２のストッパー壁を設けることなく、一直線に展開した状態で揺動アーム４０の揺動を規制するようにしてもよく、この場合は、２つのアーム５２Ａ、５２Ｂの展開位置がストッパーを兼ねていることになる。
【００３９】
本発明のスライダー１０を魚焼き用のグリルに適用した例を掲げて述べたが、魚焼き以外の引き出し式調理器にも適用することができ、またトレー着脱式の引出しや他の同様の構造の家具等、広範囲の引き出し装置に適用することができる。
【００４０】
なお、上記実施の形態では、正面板３０は、把手の形態の摘み３２を有するが、へこみ式の摘みを有していてもよいし、正面板を引き出すことができれば、特に摘みを有していなくてもよい。
【産業上の利用可能性】
【００４１】
本発明によれば、グリルの網付き水受けトレーの如き種々の引出し式可動物体を水平状態が維持されたままのスライドレール上に搭載し、摘み付きの正面板は、このスライドレールに枢支された揺動アームに保持しているので、引出し式の可動物体の観察等や清掃等の目的でスライドレールに対して着脱する作業が容易となり、また可動物体は安定状態に維持することができるので、可動物体内の収容物がこぼれたり脱落したりする虞がなく、高い産業上の利用性を有する。
【図面の簡単な説明】
【００４２】
【図１】本発明のスライドレールが用いられたグリルの最終引き出し状態の一部を破断した上面図である。
【図２】図１のグリルの引き込み状態の側断面図である。
【図３】図１のグリルの中間引出し状態の側断面図である。
【図４】図１のグリルの最終引出し状態（図１と同じ状態）の側断面図である。
【図５】図４のＶ−Ｖ線断面図である。
【図６】スライドレールを最終引出し位置まで引出したが、摘み付き正面板を未だ下降変位していない状態にあるスライドレールと固定レールとの関係を示す上面図である。
【図７】図６の状態の側面図である。
【図８】図７の状態から摘み付き正面板を途中まで下降した状態の側面図である。
【図９】図８の状態から摘み付き正面板を最終下降位置まで変位した状態の側面図である。
【図１０】図８の状態にあるスライドレールの部分拡大側面図である。
【図１１】図９の状態にあるスライドレールの部分拡大側面図である。
【図１２】本発明の他の実施の形態による図６と同様の上面図である。
【図１３】図１２の状態の側面図である。
【図１４】図１３の状態から摘み付き正面板を最終下降位置まで変異した状態の側面図である。
【符号の説明】
【００４３】
Ｇ      グリル
ＧＣ      筐体
Ｎ      網
ＮＬ      脚部
Ｔ      水受けトレー
ＲＢ      受け台
ＲＢＰ    取付け片
ＲＢＲ    受け入れ凹部
ＳＲ      固定レール
ＲＲ      受けローラ
１０      スライドレール１０
２０      スライドレール本体
３０      正面板
３２      摘み
４０      揺動アーム
４０Ｒ    逃げ凹部
４０Ｈ    長孔
４２      ピン
５０      揺動規制手段
５２      リンクアーム
５２Ａ、５２Ｂ  アーム
５３      中央枢支部
５４      ストッパー
５４Ａ、５４Ｂ  第１と第２のストッパー壁
５４ＡＰ  突片
５４ＢＳ  肩部
５６      ストッパーアーム
５６Ｐ    ピン
５６Ｒ    枢支ローラ
【図１】
2008188261.tif 000003
【図２】
2008188261.tif 000004
【図３】
2008188261.tif 000005
【図４】
2008188261.tif 000006
【図５】
2008188261.tif 000007
【図６】
2008188261.tif 000008
【図７】
2008188261.tif 000009
【図８】
2008188261.tif 000010
【図９】
2008188261.tif 000011
【図１０】
2008188261.tif 000012
【図１１】
2008188261.tif 000013
【図１２】
2008188261.tif 000014
【図１３】
2008188261.tif 000015
【図１４】
2008188261.tif 000016